(57)【要約】【課題】  送信元から受信する画像データを転送先に転送する際に使用するメモリ容量を節減でき、省メモリで転送機能を有効に活用できる。【解決手段】    公衆回線を介して相互にカラー画像データまたはモノクロ画像データを送受信可能なファクシミリ装置において、ＣＰＵが送信元のファクシミリ装置からの着呼時に、自機に対してデータ転送を行う設定がされていると判断した場合（Ｓ４０２）、送信元のファクシミリ装置に対してモノクロ画像データの送信を応答し、送信元のファクシミリ装置１０１から受信するモノクロ画像データを指定された転送先のファクシミリ装置に前記公衆回線を介して転送する（Ｓ４０４〜Ｓ４１０）ことを特徴とする。【選択図】  図４
2012039425.tif 000002
【特許請求の範囲】
【請求項１】
公衆回線を介して相互にカラー画像データまたはモノクロ画像データの送受信を行うファクシミリ装置であって、
送信元のファクシミリ装置からの着呼時に、受信する画像データを転送する設定がなされているかどうかを判断する判断手段と、
前記判断手段が受信する画像データを転送する設定がなされていると判断した場合、送信元のファクシミリ装置に対してモノクロ画像データの送信を応答し、前記送信元のファクシミリ装置から受信するモノクロ画像データを指定された転送先のファクシミリ装置に前記公衆回線を介して転送する転送制御手段と、
を備えることを特徴とするファクシミリ装置。
【請求項２】
前記転送制御手段は、能力情報を用いて送信元のファクシミリ装置に対してモノクロ画像データの送信を応答することを特徴とする請求項１記載のファクシミリ装置。
【請求項３】
前記判断手段が受信する画像データを転送する設定がなされていないと判断した場合、送信元からカラー画像データまたはモノクロ画像データを受信する受信手段を備えることを特徴とする請求項１記載のファクシミリ装置。
【請求項４】
公衆回線を介して相互にカラー画像データまたはモノクロ画像データの送受信を行うファクシミリ装置の制御方法であって、
送信元のファクシミリ装置からの着呼時に、受信する画像データを転送する設定がなされているかどうかを判断する判断工程と、
前記判断工程が受信する画像データを転送する設定がなされていると判断した場合、送信元のファクシミリ装置に対してモノクロ画像データの送信を応答し、前記送信元のファクシミリ装置から受信するモノクロ画像データを指定された転送先のファクシミリ装置に前記公衆回線を介して転送する転送制御工程と、
を備えることを特徴とするファクシミリ装置の制御方法。
【請求項５】
前記転送制御工程は、能力情報を用いて送信元のファクシミリ装置に対してモノクロ画像データの送信を応答することを特徴とする請求項４記載のファクシミリ装置の制御方法。
【請求項６】
前記判断工程が受信する画像データを転送する設定がなされていないと判断した場合、送信元からカラー画像データまたはモノクロ画像データを受信する受信工程を備えることを特徴とする請求項４記載のファクシミリ装置の制御方法。
【請求項７】
請求項５または６項に記載のファクシミリ装置の制御方法をコンピュータに実行させることを特徴とするプログラム。
【発明の詳細な説明】
【技術分野】
【０００１】
本発明は、公衆回線を介して相互にカラー画像データまたはモノクロ画像データを送受信可能なファクシミリ装置、ファクシミリ装置の制御方法、プログラムに関するものである。
【背景技術】
【０００２】
現在、ファクシミリの付加価値向上の観点から一般的なファクシミリ装置には、カラー画像の送受信機能に加えて自機を中継機としてカラー画像を転送する機能が備えられている。例えば特許文献１では、転送機能を備えたファクシミリ装置において、自機のカラー機能の有無に関わらず転送先のファクシミリ装置のカラー機能の有無に応じて、該当する種類の画像データで転送を行うことを可能にする旨が記載されている。これによると、予め転送先に発呼して転送先の能力を知ることで、中継機である自機がモノクロ機であっても、転送先がカラー機能を備えていれば、送信元にカラー画像を要求して該カラー画像を転送することが可能となる。
【先行技術文献】
【特許文献】
【０００３】
【特許文献１】特開２００２−６４６９０号公報
【発明の概要】
【発明が解決しようとする課題】
【０００４】
ファクシミリ通信の転送機能は、一旦受信した画像データを転送する際、転送先と回線がつながらなかったり、回線状況によっては転送開始、転送実施に時間を要したりする場合がある。そのため、転送せずに通常通り自機で受信した画像データを印刷出力する場合と状況が異なり、しばらくはメモリ内に蓄積しておく場合があることを想定しておかなければならない。さらには、画像データを受信するタイミングに関わらず、転送する時刻を設定することができるタイマー転送機能を備えるならば、より長時間、メモリ内に画像データを蓄積しておく必要性が生じる。
【０００５】
しかしながら、カラー画像は一般的にＣ（シアン）、Ｍ（マゼンタ）、Ｙ（イエロー）、Ｋ（ブラック）の４色で構成されているため、単純にモノクロ画像と比べて４倍のメモリ容量が必要となる。加えて最近のファクシミリは、他にコピーやプリンタ等の機能を同じハードリソースで共有している装置（複合機）として提供されている場合が多い。そうなると各機能同士が競合する場合が多々ある。この場合でもユーザーを待たせることなくスムーズに動作させなければならない。この状況でカラー画像の転送を実施するならば、さらにメモリ容量を確保しておく必要がある。
【０００６】
従って特許文献１のようにカラー画像転送を実現するには、自機のカラー／モノクロ能力に関係なく上記の場合を想定してあらかじめ相当のメモリ容量を確保しておく必要があった。
【０００７】
本発明は、上記の課題を解決するためになされたもので、本発明の目的は、送信元から受信する画像データを転送先に転送する際に使用するメモリ容量を節減でき、省メモリで転送機能を有効に活用できる仕組みを提供することである。
【課題を解決するための手段】
【０００８】
上記目的を達成する本発明の情報処理装置は以下に示す構成を備える。
公衆回線を介して相互にカラー画像データまたはモノクロ画像データの送受信を行うファクシミリ装置であって、送信元のファクシミリ装置からの着呼時に、受信する画像データを転送する設定がなされているかどうかを判断する判断手段と、前記判断手段が受信する画像データを転送する設定がなされていると判断した場合、送信元のファクシミリ装置に対してモノクロ画像データの送信を応答し、前記送信元のファクシミリ装置から受信するモノクロ画像データを指定された転送先のファクシミリ装置に前記公衆回線を介して転送する転送制御手段とを備えることを特徴とする。
【発明の効果】
【０００９】
本発明によれば、転送要求を伴うファクシミリ通信を受信したら、送信元にモノクロ画像を要求し、受信、転送を行うため、一旦受信したモノクロ画像データをメモリに蓄積しても、カラー画像データと比較してメモリの圧迫が低減できる。従って、省メモリ構成でも転送機能を有するファクシミリ装置を実現できる。
【図面の簡単な説明】
【００１０】
【図１】ファクシミリ装置を適用するデータ転送システムの構成を説明するブロック図である。
【図２】ファクシミリ装置の構成を説明スルブロック図である。
【図３】ファクシミリ通信プロトコルを示す図である。
【図４】ファクシミリ装置の通信制御手順を示すフローチャートである。
【発明を実施するための形態】
【００１１】
次に本発明を実施するための最良の形態について図面を参照して説明する。
〔第１実施形態〕
図１は、本実施形態を示すファクシミリ装置を適用するデータ転送システムの構成を説明するブロック図である。本例は、ファクシミリ間転送処理をおこなうファクシミリ装置が公衆回線に接続された例を示す。
【００１２】
図１において、ファクシミリ装置（送信機）１０１、ファクシミリ装置（転送機）１０２、ファクシミリ装置（受信機）１０３、はそれぞれ公衆回線１０４を介して接続され、相互にファクシミリ通信を行い画像データのやりとりを実施することが可能となっている。
【００１３】
ファクシミリ転送は、まずファクシミリ装置（送信機）１０１からファクシミリ装置（転送機）１０２に対して発呼する。ファクシミリ装置（転送機）１０２は着信を受けて、ファクシミリ装置（送信機）１０１と回線を接続する。そしてファクシミリ装置（送信機）１０１は読み込んだ画像データをファクシミリ装置（転送機）１０２に向けて送信する。なお、画像データは、送信処理は後述する公知の符号化方式で符号化され、モデムにより変調されて回線に送出される。
【００１４】
このようにして画像データの送受信が完了したら、ファクシミリ装置（送信機）１０１とファクシミリ装置（転送機）１０２は互いに回線を遮断する。ここで、ファクシミリ装置（転送機）１０２には予めファクシミリ装置（受信機）１０３に対して受信した画像データを転送するファクシミリ転送設定がユーザーによってなされている。
【００１５】
ファクシミリ装置（転送機）１０２はファクシミリ装置（受信機）１０３に対して、ファクシミリ装置（送信機）１０１とファクシミリ装置（転送機）１０２間で行ったファクシミリ通信と同様に回線を接続し、画像データを転送し、終了したら回線を遮断する。これでファクシミリ転送が完了する。
【００１６】
また、説明を分かりやすくするため各々のファクシミリ装置に"送信機"、"転送機"、"受信機"という言葉を用いた。しかし実際にはどのファクシミリ装置にも送信機能、受信機能、転送機能を備えているのが一般的であり、各々が送信、転送、受信、どの立場になることも可能である。
【００１７】
図２は、図１に示したファクシミリ装置の構成を説明スルブロック図である。本例は、図１に示した転送側のファクシミリ装置１０２の構成を説明するが、他のファクシミリ装置１０１，１０３も同様の構成を備える。
【００１８】
図２において、ファクシミリ装置（転送機）１０２は、ＣＰＵ２０１、ＲＡＭ２０２、ＲＯＭ２０３、操作部２０４、スキャナ部２０５、プリンタ部２０６、表示部２０７、通信制御部２０８を有している。そしてこれらはバスで接続されており、相互に通信することが可能な構成となっている。ここで、プリンタ部２０６は送信元から受信する画像データがモノクロ画像データであっても、カラー画像データであっても記録紙に画像を出力するためのエンジンを備えている。ただし、本実施形態では、後述する制御手順に従い、送信元のファクシミリ装置から転送先のファクシミリ装置に対する画像データの転送要求を取得した場合、送信元のファクシミリ装置にモノクロ画像データの送信を能力情報を用いて応答する構成となっている。また、能力情報は、図３に示すＤＩＳ信号を用いて送信元のファクシミリ装置に応答する構成となっている。
【００１９】
ＣＰＵ２０１は、ＲＯＭ２０３に書き込まれた制御プログラムを読み込んでＲＡＭ２０２を作業領域としながら装置内の各部を制御する働きをする。ＲＡＭ２０２はランダムアクセスメモリであり、ＣＰＵ２０１の作業領域となる。またＲＡＭ２０２には電話帳や転送先の電話番号、受信した画像データを一時的に保存する領域としても利用される。
【００２０】
さらに、ファクシミリ装置１０２は、図示しない電池等のバックアップ用バッテリーを備えており、ＲＡＭ２０２の一部を不揮発性ＲＡＭ領域（ＮＶＲＡＭ領域）として使用することで、停電等による装置の電源遮断時でも記憶したデータを保証できる構成となっている。
【００２１】
ＲＯＭ２０３は、ＣＰＵ２０１が各部を制御するための制御プログラムが書き込まれているリードオンリメモリである。操作部２０４は相手先の電話番号を入力するためのテンキーやファクシミリ通信のスタートキー、ワンタッチキー、転送設定を行うための各種キーが備えられている。
【００２２】
スキャナ部２０５は原稿読み取り機構を備えており、ユーザーがファクシミリ送信を行う際、この機構に原稿を設置して操作部２０４のスタートキーを押したら、原稿を画像データとして読み込む。なお、スキャナ部２０５は、カラー原稿画像を読み取り可能であって、読み取られたカラー画像情報は通信制御部２０８を介して公衆回線１０４に送信される。
【００２３】
プリンタ部２０６は、公衆回線１０４を介して受信した画像データや、スキャナ部２０５で読み取った画像データを解像度に応じて用紙に記録出力する。表示部２０７は、液晶表示装置などを備えておりユーザに対してファクシミリ装置（転送機）１０２のステータスや警告などユーザーに通知するべき内容を図示しないユーザインタフェースを介して表示する。
【００２４】
通信制御部２０８は、画像データの符号化や復号化、変調や復調、といったモデム機能と、公衆回線１０４を介してファクシミリ通信を行うための通信制御を行うＮＣＵ機能とを備えている。
【００２５】
ファクシミリ転送の設定は、ユーザーが表示部２０７を見ながら操作部２０４の各種キーを操作して行われる。ここで、転送設定としては、転送先のファクシミリ装置の電話番号をテンキーで入力したり、またはＲＡＭ２０２に記憶されている電話帳から転送先の電話番号を選択して設定するといった操作で行われる。
【００２６】
以上のような装置構成で図３を用いて、ファクシミリ装置（送信機）１０１からファクシミリ装置（転送機）１０２を介して、ファクシミリ装置（受信機）１０３に画像データを転送するファクシミリ転送の詳細内容を説明する。
【００２７】
図３は、図１に示したファクシミリ装置（送信機）１０１とファクシミリ装置（転送機）１０２、ファクシミリ装置（受信機）のファクシミリ通信プロトコルを示す図である。
本例においては、ファクシミリ装置（転送機）１０２には予めユーザーによって転送設定が成されており、転送先としてファクシミリ装置（受信機）１０３の電話番号が指定されている。
【００２８】
Ｓ３０１では、ファクシミリ装置（送信機）１０１にファクシミリ装置（転送機）１０２の電話番号を入力し、交換機へダイヤル信号を送出し、ファクシミリ装置（転送機）１０２に対して発呼する。
【００２９】
ファクシミリ装置（転送機）１０２はこれを受けて応答し、続いてファクシミリ装置（送信機）１０１から図示しないＣＮＧ信号を送出する。ファクシミリ装置（転送機）１０２はＣＮＧ信号を受信してファクシミリ通信と判断し、回線接続動作を行う。
【００３０】
Ｓ３０２ではファクシミリ装置（転送機）１０２から自動受信のファクシミリ機である旨のＣＥＤ信号を送出する。この時、ファクシミリ装置（転送機）１０２のＣＰＵ２０１は、自機に転送設定がなされているかどうか、ＲＡＭ２０２に記憶されているファクシミリ転送設定を確認する。
【００３１】
ここでファクシミリ転送設定が成されていると判断した場合は、Ｓ３０３ではファクシミリ装置（送信機）１０１に対して、ファクシミリ装置（転送機）１０２自らの能力情報であるＤＩＳ信号を送出する。
【００３２】
このＤＩＳ信号の内容には、ファクシミリ装置（送信機）１０１に対してカラー／モノクロ画像の要求を含む。ここでファクシミリ装置（転送機）１０２がカラー画像を受信可能で、プリンタ部２０６でカラー画像を印刷できる能力を有しているとする。
【００３３】
しかしながら前記のようにファクシミリ装置（転送機）１０２には転送設定が成されているため、ＣＰＵ２０１は、ＤＩＳ信号にはモノクロ画像の要求を行う情報を載せるように制御する。
【００３４】
Ｓ３０４ではファクシミリ装置（送信機）１０１がファクシミリ装置（転送機）１０２から受信したＤＩＳ信号を確認し、互いに利用可能な通信速度や画像データの符号化、符号訂正方式など記載したＤＣＳ信号をファクシミリ装置１０２に対して送出する。
【００３５】
Ｓ３０５ではトレーニングにより通信制御部２０８のモデムの調整を行い、ＤＩＳ信号、ＤＣＳ信号でやりとりした方式にあわせた画像信号形式で、ファクシミリ装置（送信機）１０１からファクシミリ装置（受信機）１０２に対して画像データを送信する。
【００３６】
一般的にファクシミリ通信では、画像データはＭＨやＭＲ、ＭＭＲ、ＪＢＩＧ、カラーならＪＰＥＧといった符号化方式で符号化され、モデムにより変調されて回線に送出される。
【００３７】
ここでファクシミリ装置（転送機）１０２は、モノクロ画像を要求したため、モノクロ符号化方式で符号化され、変調されたモノクロ画像データを受信する。ファクシミリ装置（転送機）１０２は受信した画像データを通信制御部２０８のモデムで復調し、ＲＡＭ２０２に一時的に保存し、転送に備える。
【００３８】
尚、通常のファクシミリ受信の場合は、受信した画像データは通信制御部２０８のモデムにより復調、復号化され、ＲＡＭ２０２に一時的に保存された後、プリンタ部２０６により印刷出力される。
【００３９】
Ｓ３０６ではファクシミリ装置（転送機）１０２はＥＯＰ信号を受信し、画像データ送信の手順終了を確認する。
Ｓ３０７ではファクシミリ装置（転送機）１０２はＥＯＰ信号のメッセージを確認した旨を示すＭＣＦ信号を送出し、Ｓ３０８ではファクシミリ装置（送信機）１０１から、回線切断を通知するＤＣＮ信号が送出される。
【００４０】
そして、Ｓ３０９では互いに回線を切断し、ファクシミリ通信を終了する。ＣＰＵ２０１は回線が切断された後、Ｓ３１０で、ＲＡＭ２０２に保存されている転送先の電話番号に対して発呼する。
【００４１】
そして、通常のファクシミリ通信プロトコルにより、受信して一時的にＲＡＭ２０２に保存されていたモノクロ画像データを、通信制御部２０８のモデムにより変調し、ファクシミリ装置（受信機）１０３に対して転送する。
【００４２】
図４は、本実施形態を示すファクシミリ装置の通信制御手順の一例を示すフローチャートである。なお、Ｓ４０１〜Ｓ４１１は各ステップを示し、図２に示したＣＰＵ２０１がＲＯＭ２０３に記憶された制御プログラムをＲＡＭ２０２にロードして実行することで実現される。以下、ファクシミリ装置１０２が送信元のファクシミリ装置１０１からモノクロ画像データを受信して、転送先のファクシミリ装置１０３に転送する転送制御について説明する。
【００４３】
Ｓ４０１で、ＣＰＵ２０１がファクシミリ通信の着信を確認する（図３に示したＳ３０１、３０２に対応する）。次に、Ｓ４０２で、転送設定が有効状態に設定されているかどうかをＣＰＵ２０１が判断する。なお、ＲＡＭ２０２に保存されている転送設定が有効であるか否かを、ＲＡＭ２０２上で管理される対応するフラグが「１」かどうかを着呼時に判断することでＣＰＵ２０１が認識可能に構成されている。
【００４４】
ここで、転送設定が有効状態に設定されているとＣＰＵ２０１が判断した場合は、Ｓ４０４へ進み、それ以外であるとＣＰＵ２０１が判断した場合は、Ｓ４０３へ進み、通常のファクシミリ受信を行い、受信した画像データをプリンタ部２０６で印刷出力し、ファクシミリ受信処理を終了する。
【００４５】
一方、Ｓ４０２で、転送機能が有効状態であるとＣＰＵ２０１が判断した場合は、Ｓ４０４で、ファクシミリ装置１０２のＣＰＵ２０１は、ＤＩＳ信号によってファクシミリ装置（送信機）１０１にモノクロ画像通信の標準機能を通知する（図３に示したＳ３０３に対応する処理）。本実施形態では、
【００４６】
次に、Ｓ４０５で、ＣＰＵ２０１は、ファクシミリ装置１０１から通信制御部２０８が受信してモデムにより復調されたモノクロ画像データを受信しＲＡＭ２０２に一時的に保存する（図３に示したＳ３０５に対応する処理）。
【００４７】
次に、Ｓ４０７で、ＣＰＵ２０１は、モノクロ画像データの受信を終了し、ファクシミリ通信を終える（図３に示したＳ３０６、Ｓ３０７に対応する処理）。
そして、Ｓ４０８で、ファクシミリ装置（送信機）１０１からのＤＣＮ信号を受信して回線を切断する（図３に示したＳ３０９に対応する処理）。
次に、Ｓ４０９で、ＣＰＵ２０１は、公衆回線１０４に接続される通信制御部２０８を介してＲＡＭ２０２に保存されている転送先の電話番号に対して発呼する。そして、Ｓ４１０で、ＣＰＵ２０１は、通信制御部２０８を介して通常のファクシミリ通信のプロトコルを開始し、ファクシミリ装置（送信機）１０１から受信してＲＡＭ２０２上に保存したモノクロ画像データをファクシミリ装置（受信機）１０３に対して転送する。
【００４８】
そして、Ｓ４１１で、ＣＰＵ２０１は、ＲＡＭ２０２上に保存したモノクロ画像データの送信を終了するためにＤＣＮ信号を送出して、ファクシミリ装置１０３との間におけるファクシミリ転送を終了する（図３に示したＳ３１０）。
【００４９】
本実施形態では、送信元のファクシミリ装置から転送要求がなされた場合に、転送先のファクシミリ装置の能力にかかわらず、モノクロ画像データの送信を要求する。
これにより、送信元のファクシミリ装置による転送要求時には、必ずモノクロ画像データを受信して、転送先にモノクロ画像データを送信する。したがって、カラー画像データを処理するメモリに加えて、さらにカラー画像データを受信して転送するためのさらなるメモリを備えなくても済む。
【００５０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００５１】
本発明は上記実施形態に限定されるものではなく、本発明の趣旨に基づき種々の変形（各実施形態の有機的な組合せを含む）が可能であり、それらを本発明の範囲から除外するものではない。
【００５２】
本発明の様々な例と実施形態を示して説明したが、当業者であれば、本発明の趣旨と範囲は、本明細書内の特定の説明に限定されるのではない。
本実施形態によれば、転送要求を伴うファクシミリ通信を受信したら、送信元にモノクロ画像を要求し、受信、転送を行うため、一旦受信したモノクロ画像データをメモリに蓄積しても、カラー画像データと比較してメモリの圧迫が低減できる。従って、省メモリ構成でも転送機能を有するファクシミリ装置を実現できる。
【符号の説明】
【００５３】
１０１〜１０３  ファクシミリ装置
１０４  公衆回線
２０１  ＣＰＵ
２０２  ＲＡＭ
２０３  ＲＯＭ
【図１】
2012039425.tif 000003
【図２】
2012039425.tif 000004
【図３】
2012039425.tif 000005
【図４】
2012039425.tif 000006